(57)【要約】【課題】芯替え時の操作が簡単で、かつ、手軽に使用することができるシャープペンシルを提供する。【解決手段】外装体１１の内部に芯ケース１３および芯チャック１４を進退可能に配設し、先端部にガイドパイプ１２を進退可能に配設する。外装体１１の内部には、また、ガイドパイプ１２が外装体１１の内側に収納される方向に移動するのに連動して、芯ケース１３および芯チャック１４を先端側に前進させる連動手段２０と、芯ケース１３および芯チャック１４を先端側から後端側に復位させると共に、ガイドパイプ１２を外装体１１から突出する方向に復位させる復位手段３０を備える。【選択図】図２
2010228138.tif 000002
【特許請求の範囲】
【請求項１】
内部に空間を有する外装体と、
この外装体の先端部に内側から外側に向かって突出するように配設され、内側に芯を通す内孔を有し、前記外装体の内側に収納される方向に往復移動可能なガイドパイプと、
前記外装体の内部に収納され、内側に芯を収納する収納部を有し、先端側に向かって進退可能な芯ケースと、
前記外装体の内部において前記芯ケースの先端側に配置され、前記芯ケースと共に先端側に進退可能であり、後端側では縮径して芯を把持し、先端側では拡径して芯を開放する芯チャックと、
この芯チャックの周囲に配設され、前記芯チャックを締めつけて縮径するチャックリングと、
前記ガイドパイプが前記外装体の内側に収納される方向に移動するのに連動して、前記芯ケースおよび前記芯チャックを先端側に前進させる連動手段と、
前記芯ケースおよび前記芯チャックを先端側から後端側に復位させると共に、前記ガイドパイプを前記外装体から突出する方向に復位させる復位手段と
を備えたことを特徴とするシャープペンシル。
【請求項２】
前記連動手段は、
前記芯ケースの外周に突出して形成された係止部と、
この係止部の近傍において前記外装体と前記芯ケースとの間に後端部が配設され、先端部の一部が前記ガイドパイプに固定された伝達部材と、
この伝達部材の後端部に外側が当接され、かつ、中心側が前記係止部に当接され、外側と中心側との間に設けられた支持部を中心として回転可能であり、外側が前記伝達部材により後端側に押圧されるのに伴い、中心側により前記係止部を先端側に押圧する反転部材と
を備えたことを特徴とする請求項１記載のシャープペンシル。
【請求項３】
前記係止部は、外側端部に、後端側に向かって突出して形成された爪部を有し、
前記反転部材は、外側端部および中心側端部に、先端側に向かって突出して形成された爪部を有する
ことを特徴とする請求項２記載のシャープペンシル。
【請求項４】
前記反転部材は、先端側に、前記伝達部材の後端部が当接する位置を案内する案内溝を有することを特徴とする請求項２または請求項３記載のシャープペンシル。
【請求項５】
前記復位手段は、
前記係止部よりも先端側において前記芯ケースの周りに配設された固定部材と、
この固定部材と前記係止部との間に配設された付勢部材と
を備えたことを特徴とする請求項２から請求項４のいずれか１に記載のシャープペンシル。
【請求項６】
前記ガイドパイプの先端側に、芯の落下を防ぐ芯戻り止めを設けたことを特徴とする請求項１から請求項５のいずれか１に記載のシャープペンシル。
【発明の詳細な説明】
【技術分野】
【０００１】
本発明は、ノック操作により先端から芯が突出するノック式のシャープペンシルに関する。
【背景技術】
【０００２】
従来より、シャープペンシルとしては、ノック操作により先端から芯を突出させるノック式のものが知られている。このシャープペンシルでは、例えば、ノック操作により芯チャックが芯を把持して先端側に前進し、一定距離前進したところで拡径して芯を開放し、後退することにより芯を繰り出すようになっている。また、先端部には芯をガイドし保護するためのガイドパイプが配設されており、ガイドパイプの後端側には芯が芯チャックから解放された時に芯の落下を防止すると共に、芯を安定して保持するための芯戻り止めが配設されている（例えば、特許文献１参照）。
【先行技術文献】
【特許文献】
【０００３】
【特許文献１】特開平１０−１６６７８４号公報
【特許文献２】実用新案登録第３１４２４２２号公報
【発明の概要】
【発明が解決しようとする課題】
【０００４】
しかしながら、このようなシャープペンシルでは、芯切れ等により芯を入れ替える際に、何回もノックしなければ芯が出てこないという問題があった。よって、操作に手間と時間がかかり、面倒であった。
【０００５】
また、このようなノック操作により芯を繰り出すのではなく、ガイドパイプを押圧して内縮させることにより芯を繰り出すようにしたものも提案されている（例えば、特許文献２参照）。しかし、このシャープペンシルでは、芯を先端から突出させるためには、先端を数回押圧しなければならず、しかも、押圧にはそれなりの力が必要であるという問題があった。よって、ノック式に比べて手軽に使用するのが難しかった。
【０００６】
本発明は、このような問題に基づきなされたものであり、芯替え時の操作が簡単で、かつ、手軽に使用することができるシャープペンシルを提供することを目的とする。
【課題を解決するための手段】
【０００７】
本発明のシャープペンシルは、内部に空間を有する外装体と、この外装体の先端部に内側から外側に向かって突出するように配設され、内側に芯を通す内孔を有し、前記外装体の内側に収納される方向に往復移動可能なガイドパイプと、前記外装体の内部に収納され、内側に芯を収納する収納部を有し、先端側に向かって進退可能な芯ケースと、前記外装体の内部において前記芯ケースの先端側に配置され、前記芯ケースと共に先端側に進退可能であり、後端側では縮径して芯を把持し、先端側では拡径して芯を開放する芯チャックと、この芯チャックの周囲に配設され、前記芯チャックを締めつけて縮径するチャックリングと、前記ガイドパイプが前記外装体の内側に収納される方向に移動するのに連動して、前記芯ケースおよび前記芯チャックを先端側に前進させる連動手段と、前記芯ケースおよび前記芯チャックを先端側から後端側に復位させると共に、前記ガイドパイプを前記外装体から突出する方向に復位させる復位手段とを備えたものである。
【発明の効果】
【０００８】
本発明のシャープペンシルによれば、ガイドパイプを外装体の内側に収納される方向に往復運動可能とし、かつ、ガイドパイプが収納される方向に移動するのに連動して、芯ケースおよび芯チャックを先端側に前進させる連動手段を備えるようにしたので、ガイドパイプを押圧することにより芯チャックを拡径することができる。よって、例えば、ガイドパイプを下にして机などに押し当てることによりガイドパイプを押圧するようにすれば、芯ケースに収納されている芯は、自重により、拡径している芯チャックを通過してガイドパイプの先端まで落下することができる。従って、芯を入れ替える際にも、１回の動作で、芯をガイドパイプの先端まで移動させることができ、後は通常と同様に、１回のノック操作で芯を先端から突出させることができる。すなわち、簡単に芯替えをすることができ、芯替え時の手間と時間を削減することができると共に、通常のノック式のシャープペンシルと同様に手軽に使用することができる。
【０００９】
特に、連動手段が、芯ケースの外周に形成された係止部と、この係止部の近傍に後端部が配設され、先端部がガイドパイプに固定された伝達部材と、外側が伝達部材の後端部に当接され、中心側が係止部に当接され、外側と中心側との間に設けられた支持部を中心として回転可能な反転部材とを備えるようにすれば、ガイドパイプを押圧することにより、簡単に、芯を先端まで移動させることができる。
【００１０】
また、係止部の外側端部に、後端側に向かって突出する爪部を形成し、反転部材の外側端部および中心側端部に、先端側に向かって突出する爪部を形成するようにすれば、伝達部材と反転部材および反転部材と係止部とを確実に当接させることができ、安定して動作させることができる。
【００１１】
更に、反転部材の先端側に、伝達部材の後端部が当接する位置を案内する案内溝を形成するようにすれば、伝達部材により反転部材を押圧する動作をスムーズに行わせることができ、より安定して動作させることができる。
【００１２】
加えて、復位手段が、係止部よりも先端側に配設された固定部材と、この固定部材と係止部との間に配設された付勢部材とを備えるようにすれば、簡単に、芯チャックおよびガイドパイプを復位させることができる。
【００１３】
更にまた、ガイドパイプの先端側に芯戻り止めを設けるようにすれば、ノック操作により芯チャックを拡径した時に芯が落下してしまうことを防止することができ、かつ、ガイドパイプを押圧した時に芯をガイドパイプの先端まで移動させることができる。
【図面の簡単な説明】
【００１４】
【図１】本発明の一実施の形態に係るシャープペンシルの全体構成を表す部分断面図である。
【図２】図１に示したシャープペンシルの通常状態における先端側を拡大して表わす断面図である。
【図３】図１に示したシャープペンシルの芯替え時における先端側を拡大して表わす断面図である。
【図４】図３に続く芯繰り出し工程を表す図である。
【図５】図４に続く芯繰り出し工程を表す図である。
【図６】図５に続く芯繰り出し工程を表す図である。
【発明を実施するための形態】
【００１５】
以下、本発明の実施の形態について、図面を参照して詳細に説明する。
【００１６】
図１は本発明の一実施の形態に係るシャープペンシルの全体構成を表わすものであり、図２は通常状態における先端側の断面構造を拡大して表わすものであり、図３は芯替え時における先端側の断面構造を拡大して表わすものである。このシャープペンシルは、内部に空間を有する外装体１１と、外装体１１の先端部に配設されたガイドパイプ１２と、外装体１１の内部に収納された芯ケース１３および芯チャック１４と、芯チャック１４の周囲に配設されたチャックリング１５と、外装体１１の後端部に配設されたノックボタン１６とを有している。
【００１７】
外装体１１は、例えば、外筒１１Ａの先端側に口先部１１Ｂが配設された構造を有している。口先部１１Ｂは、例えば、先端側が細くなっており、先端部にはガイドパイプ１２を配設するための貫通孔１１Ｃが形成されている。
【００１８】
ガイドパイプ１２は、芯Ｍをガイドすると共に保護するためのものであり、外装体１１の内側から外側に向かって突出するように貫通孔１１Ｃに配設されている。ガイドパイプ１２は、貫通孔１１Ｃに固定されておらず、外装体１１の内側に収納される方向、例えば外装体１１の前後方向に往復移動できるようになっている。ガイドパイプ１２の内側には、芯Ｍを通すための内孔１２Ａが形成されており、先端側には芯Ｍの落下を防ぐ芯戻り止め１２Ｂが設けられていることが好ましい。芯Ｍを安定して繰り出すことができるからである。芯戻り止め１２Ｂは、例えば、弾性変位可能なゴムや軟質の合成樹脂により構成されていることが好ましく、所定の押圧力以下では芯Ｍが挿通しないようになっている。なお、芯戻り止め１２Ｂは、図２に示したように、ガイドパイプ１２の内側に設けるようにしてもよいが、例えば、ガイドパイプ１２の先端全体を芯戻り止め１２Ｂで構成するようにしてもよい。
【００１９】
芯ケース１３は、内側に芯Ｍを収納する収納部１３Ａを有し、先端側に向かって進退可能に、すなわち外装体１１の前後方向に往復移動可能に配設されている。芯チャック１４は、例えば、芯ケース１３の先端側に芯ケース１３に接続して配設されており、芯ケース１３と共に先端側に向かって進退可能とされている。芯チャック１４の内側には、芯Ｍを通すための内孔１４Ａが形成されている。芯チャック１４の外周には、例えば、二つ割または三つ割のスリット１４Ｂが形成されており、内孔１４Ａを拡径または縮径することができるように構成されている。芯チャック１４の先端側には、後端側よりも外径が大きい大径部１４Ｃが形成されている。これにより、芯チャック１４が後端側に後退している時には、大径部１４Ｃがチャックリング１５により締めつけられて縮径して芯Ｍを把持し、先端側に前進している時には、大径部１４Ｃがチャックリング１５から解放されて拡径して芯Ｍを開放するようになっている。
【００２０】
チャックリング１５は、例えば、外装体１１に固定された支持部材１７により支持されている。支持部材１７の中央部には、チャックリング１５を配設するための配設孔１７Ａが設けられている。チャックリング１５の外周面には、例えば、径方向に円板状に突出した鍔１５Ａが形成されており、配設孔１７Ａの内周面に形成された溝１７Ｂに鍔１５Ａが係止されている。溝１７Ｂの幅は、例えば、チャックリング１５が一部において芯チャック１４と共に進退できるように、鍔１５Ａの幅よりも広く形成されている。なお、支持部材１７は、例えば、配設孔１７Ａを通る前後方向に延長された面で２以上に分割されていてもよい。組み合わせることにより配設孔１７Ａにチャックリング１５を容易に配設することができるからである。
【００２１】
このシャープペンシルは、また、ガイドパイプ１２が外装体１１の内側に収納される方向に移動するのに連動して、芯ケース１３および芯チャック１４を先端側に前進させる連動手段２０と、芯ケース１３および芯チャック１４を先端側から後端側に復位させると共に、ガイドパイプ１２を外装体１１から突出する方向に復位させる復位手段３０とを備えている。
【００２２】
連動手段２０は、例えば、芯ケース１３の外周に突出して形成された係止部２１と、係止部２１の近傍に後端部が配設され、先端部の一部がガイドパイプ１２に固定された伝達部材２２と、外側が伝達部材２２の後端部に当接され、中心側が係止部２１に当接された反転部材２３とを有している。係止部２１の外側端部には、例えば、後端側に向かって突出するように爪部２１Ａが形成されていることが好ましい。係止部２１と反転部材２３とを確実に当接させることができ、安定して動作させることができるからである。係止部２１は、例えば、円板状に形成されていてもよいが、反転部材２３に合わせて一部に形成されていてもよい。
【００２３】
伝達部材２２は、例えば、板状部材２２Ａに２本以上の棒状部材２２Ｂが接合された構造を有している。板状部材２２Ａは、先端部としてガイドパイプ１２に接合されており、中央部には芯Ｍを通すための貫通孔２２Ｃが形成されている。板状部材２２Ａとガイドパイプ１２との接合部には、例えば、ガイドパイプ１２の後端側を取り囲んで接合部を補強する補強部２２Ｄが形成されていることが好ましい。接合強度を高めるためである。棒状部材２２Ｂは、例えば、前後方向に伸長されており、後端部は外装体１１と芯ケース１３との間において係止部２１の近傍に位置している。なお、棒状部材２２Ｂの配設位置に合わせて、支持部材１７には、例えば、棒状部材２２Ｂを貫通させるための貫通孔１７Ｃが設けられている。
【００２４】
反転部材２３は、例えば、外装体１１に固定された支持棒２３Ａに対して支持部２３Ｂにより回転可能に配設されている。支持部２３Ｂは、外側と中心側との間に形成されており、外側が伝達部材２２により後端側に押圧されると、支持部２３Ｂを中心として回転し、中心側により係止部２１を先端側に押圧するようになっている。反転部材２３の外側端部および中心側端部には、例えば、先端側に向かって突出するように爪部２３Ｃが形成されていることが好ましい。伝達部材２２と反転部材２３および係止部２１と反転部材２３とを確実に当接させることができ、安定して動作させることができるからである。また、反転部材２３の先端側には、図示しないが、例えば、伝達部材２２の後端部が当接する位置を案内する案内溝が形成されていることが好ましい。伝達部材２２により反転部材２３を押圧する動作をスムーズに行わせることができ、より安定して動作させることができるからである。
【００２５】
復位手段３０は、例えば、係止部２１よりも先端側において芯ケース１３の周りに配設された固定部材３１と、固定部材３１と係止部２１との間に配設されたばね等の付勢部材３２とを有している。固定部材３１は、外装体１１に対して固定して配設されている。固定部材３１の中央部には、芯ケース１３を通す貫通孔３１Ａが形成されており、その外側には、例えば、棒状部材２２Ｂの配設位置に合わせて、棒状部材２２Ｂを貫通させるための貫通孔３１Ｂが設けられている。
【００２６】
このシャープペンシルは、例えば、次のようにして組み立てられる。
【００２７】
まず、例えば、チャックリング１５の中に芯チャック１４を通し、係止部２１を形成した芯ケース１３の先端に接合する。次いで、例えば、係止部２１の先端側に付勢部材３２を配設し、固定部材３１を形成した外筒１１Ａの中に、後端側から芯チャック１４の方を先端側に向けて、付勢部材３２が固定部材３１に当接するまで挿入する。続いて、外筒１１Ａの先端側に支持部材１７を配設し、支持部材１７によりチャックリング１５を支持する。
【００２８】
その後、ガイドパイプ１２に伝達部材２２を接合し、外筒１１Ａの先端側から貫通孔１７Ｃ，３１Ｂの中に棒状部材２２Ｂを挿入する。次いで、口先部１１Ｂの貫通孔１１Ｃにガイドパイプを１２を挿入し、外筒１１Ａの先端部に口先部１１Ｂを配設する。続いて、外筒１１Ａの後端側から反転部材２３を挿入して配設する。その後、外筒１１Ａの後端部にノックボタン１６を配設する。これによりシャープペンシルが完成する。
【００２９】
このシャープペンシルでは、次のようにして芯Ｍを入れ替える。図４〜６は、芯Ｍの入れ替え工程を順に表わすものである。
【００３０】
まず、芯ケース１３の中に芯Ｍを挿入する。次いで、例えば図３に示したように、ガイドパイプ１２を下にして机などの堅固な平面に押し当ててガイドパイプ１２を押圧する。ガイドパイプ１２は外装体１１の内側に収納される方向に移動し、伝達部材２２が後端側に移動して反転部材２３の外側を後端側に押圧する。反転部材２３は、支持部２３Ｂを中心として回転し、中心側で係止部２１を押圧する。係止部２１は先端側に押圧され、芯ケース１３および芯チャック１４は先端側に移動する。その際、チャックリング１５は、鍔１５Ａが支持部材１７の溝１７Ｂの中を移動できる範囲内で、芯チャック１４と共に先端側に移動する。鍔１５Ａが溝１７Ｂの先端側側壁に当接すると、チャックリング１５は移動を停止し、更に芯チャック１４が先端側に移動すると、芯チャック１４の大径部１４Ｃがチャックリング１５から解放されて拡径する。これにより、芯ケース１３に収納されている芯Ｍは、自重により、拡径している芯チャック１４を通過してガイドパイプ１２の先端まで落下する。
【００３１】
続いて、例えば、図４に示したように、ガイドパイプ１２を机から離し、ガイドパイプ１２への押圧をやめると、付勢部材３２により係止部２１が後端側に付勢され、芯ケース１３および芯チャック１４が後端側に移動する。その際、芯チャック１４の大径部１４Ｃがチャックリング１５に当接すると、チャックリング１５は芯チャック１４を締め付けずに、鍔１５Ａが支持部材１７の溝１７Ｂの中を移動できる範囲内で、芯チャック１４と共に後端側に移動する。鍔１５Ａが溝１７Ｂの後端側側壁に当接すると、チャックリング１５は移動を停止し、更に芯チャック１４が後端側に移動すると、芯チャック１４の大径部１４Ｃがチャックリング１５により締めつけられて縮径する。これにより、芯Ｍは、芯チャック１４により把持され、芯チャック１４および芯ケース１３が復位する。
【００３２】
また、芯ケース１３が後端側に移動すると、係止部２１により反転部材２３の中心側が後端側に押圧され、反転部材２３は支持部２３Ｂを中心として回転し、外側で伝達部材２２の後端部を先端側に押圧する。伝達部材２２は先端側に押圧され、伝達部材２２およびガイドパイプ１２は先端側に移動し復位する。
【００３３】
そののち、例えば、図５に示したように、ノックボタン１６を押圧すると、芯ケース１３および芯チャック１４は先端側に移動し、チャックリング１５は、鍔１５Ａが支持部材１７の溝１７Ｂの中を移動できる範囲内で、芯チャック１４と共に先端側に移動する。これにより、芯Ｍは芯チャック１４に把持されたまま先端側に移動し、芯Ｍの先端がガイドパイプ１２の先端から突出する。次いで、鍔１５Ａが溝１７Ｂの先端側側壁に当接すると、チャックリング１５は移動を停止し、更に芯チャック１４が先端側に移動すると、芯チャック１４の大径部１４Ｃがチャックリング１５から解放されて拡径する。これにより、芯Ｍは芯チャック１４から解放され、移動を停止する。
【００３４】
そののち、ノックボタン１６を押圧するのを止めると、例えば図６に示したように、付勢部材３２により係止部２１が後端側に付勢され、芯ケース１３および芯チャック１４が後端側に移動する。その際、芯チャック１４の大径部１４Ｃがチャックリング１５に当接すると、チャックリング１５は芯チャック１４を締め付けずに、鍔１５Ａが支持部材１７の溝１７Ｂの中を移動できる範囲内で、芯チャック１４と共に後端側に移動する。鍔１５Ａが溝１７Ｂの後端側側壁に当接すると、チャックリング１５は移動を停止し、更に芯チャック１４が後端側に移動すると、芯チャック１４の大径部１４Ｃがチャックリング１５により締めつけられて縮径する。これにより、芯Ｍは、芯チャック１４により把持され、芯チャック１４および芯ケース１３が復位し、筆記できるようになる。
【００３５】
このように本実施の形態によれば、ガイドパイプ１２を外装体１１の内側に収納される方向に往復運動可能とし、かつ、ガイドパイプ１２が収納される方向に移動するのに連動して、芯ケース１３および芯チャック１４を先端側に前進させる連動手段２０を備えるようにしたので、ガイドパイプ１２を押圧することにより芯チャック１４を拡径することができる。よって、例えば、ガイドパイプ１２を下にして机などに押し当てることによりガイドパイプ１２を押圧するようにすれば、芯ケース１３に収納されている芯Ｍは、自重により、拡径している芯チャック１４を通過してガイドパイプ１２の先端まで落下することができる。従って、芯Ｍを入れ替える際にも、１回の動作で、芯Ｍをガイドパイプ１２の先端まで移動させることができ、後は通常と同様に、１回のノック操作で芯Ｍを先端から突出させることができる。すなわち、簡単に芯替えをすることができ、芯替え時の手間と時間を削減することができると共に、通常のノック式のシャープペンシルと同様に手軽に使用することができる。
【００３６】
特に、連動手段２０が、芯ケース１３の外周に形成された係止部２１と、この係止部２１の近傍に後端部が配設され、先端部がガイドパイプ１２に固定された伝達部材２２と、外側が伝達部材２２の後端部に当接され、中心側が係止部２１に当接され、外側と中心側との間に設けられた支持部２３Ｂを中心として回転可能な反転部材２３とを備えるようにすれば、ガイドパイプ１２を押圧することにより、簡単に、芯Ｍを先端まで移動させることができる。
【００３７】
また、係止部２１の外側端部に、後端側に向かって突出する爪部２１Ａを形成し、反転部材２３の外側端部および中心側端部に、先端側に向かって突出する爪部２３Ｃを形成するようにすれば、伝達部材２２と反転部材２３および反転部材２３と係止部２１とを確実に当接させることができ、安定して動作させることができる。
【００３８】
更に、反転部材２３の先端側に、伝達部材２２の後端部が当接する位置を案内する案内溝を形成するようにすれば、伝達部材２２により反転部材２３を押圧する動作をスムーズに行わせることができ、より安定して動作させることができる。
【００３９】
加えて、復位手段３０が、係止部２１よりも先端側に配設された固定部材３１と、この固定部材３１と係止部２１との間に配設された付勢部材３２とを備えるようにすれば、簡単に、芯チャック１４およびガイドパイプ１２を復位させることができる。
【００４０】
更にまた、ガイドパイプ１２の先端側に芯戻り止め１２Ｂを設けるようにすれば、ノック操作により芯チャック１４を拡径した時に芯Ｍが落下してしまうことを防止することができ、かつ、ガイドパイプ１２を押圧した時に芯Ｍをガイドパイプ１２の先端まで移動させることができる。
【００４１】
以上、実施の形態を挙げて本発明を説明したが、本発明は上記実施の形態に限定されるものではなく、種々変形可能である。例えば、上記実施の形態では、各構成要素について具体的に構造を説明したが、他の構造を有するように構成してもよい。
【産業上の利用可能性】
【００４２】
シャープペンシルに用いることができる。
【符号の説明】
【００４３】
１１…外装体、１１Ａ…外筒、１１Ｂ…口先部、１１Ｃ…貫通孔、１２…ガイドパイプ、１２Ａ…内孔、１２Ｂ…芯戻り止め、１３…芯ケース、１３Ａ…収納部、１４…芯チャック、１４Ａ…内孔、１４Ｂ…スリット、１４Ｃ…大径部、１５…チャックリング、１５Ａ…鍔、１６…ノックボタン、１７…支持部材、１７Ａ…配設孔、１７Ｂ…溝、１７Ｃ…貫通孔、２０…連動手段、２１…係止部、２１Ａ…爪部、２２…伝達部材、２２Ａ…板状部材、２２Ｂ…棒状部材、２２Ｃ…貫通孔、２２Ｄ…補強部、２３…反転部材、２３Ａ…支持棒、２３Ｂ…支持部、２３Ｃ…爪部、３０…復位手段、３１…固定部材、３１Ａ，３１Ｂ…貫通孔、３２…付勢部材、Ｍ…芯
【図１】
2010228138.tif 000003
【図２】
2010228138.tif 000004
【図３】
2010228138.tif 000005
【図４】
2010228138.tif 000006
【図５】
2010228138.tif 000007
【図６】
2010228138.tif 000008
【手続補正書】
【提出日】平成21年7月16日(2009.7.16)
【手続補正１】
【補正対象書類名】特許請求の範囲
【補正対象項目名】全文
【補正方法】変更
【補正の内容】
【特許請求の範囲】
【請求項１】
内部に空間を有する外装体と、
この外装体の先端部に内側から外側に向かって突出するように配設され、内側に芯を通す内孔を有し、前記外装体の内側に収納される方向に往復移動可能なガイドパイプと、
前記外装体の内部に収納され、内側に芯を収納する収納部を有し、先端側に向かって進退可能な芯ケースと、
前記外装体の内部において前記芯ケースの先端側に配置され、前記芯ケースと共に先端側に進退可能であり、後端側では縮径して芯を把持し、先端側では拡径して芯を開放する芯チャックと、
この芯チャックの周囲に配設され、前記芯チャックを締めつけて縮径するチャックリングと、
前記ガイドパイプが前記外装体の内側に収納される方向に移動するのに連動して、前記芯ケースおよび前記芯チャックを先端側に前進させる連動手段と、
前記芯ケースおよび前記芯チャックを先端側から後端側に復位させると共に、前記ガイドパイプを前記外装体から突出する方向に復位させる復位手段とを備え、
前記連動手段は、
前記芯ケースの外周に突出して形成された係止部と、
この係止部の近傍において前記外装体と前記芯ケースとの間に後端部が配設され、先端部の一部が前記ガイドパイプに固定された伝達部材と、
この伝達部材の後端部に外側が当接され、かつ、中心側が前記係止部に当接され、外側と中心側との間に設けられた支持部を中心として回転可能であり、外側が前記伝達部材により後端側に押圧されるのに伴い、中心側により前記係止部を先端側に押圧する反転部材とを備え、
前記復位手段は、
前記係止部よりも先端側において前記芯ケースの周りに配設された固定部材と、
この固定部材と前記係止部との間に配設された付勢部材とを備えた
ことを特徴とするシャープペンシル。
【請求項２】
前記係止部は、外側端部に、後端側に向かって突出して形成された爪部を有し、
前記反転部材は、外側端部および中心側端部に、先端側に向かって突出して形成された爪部を有する
ことを特徴とする請求項１記載のシャープペンシル。
【請求項３】
前記反転部材は、先端側に、前記伝達部材の後端部が当接する位置を案内する案内溝を有することを特徴とする請求項１または請求項２記載のシャープペンシル。
【請求項４】
前記ガイドパイプの先端側に、芯の落下を防ぐ芯戻り止めを設けたことを特徴とする請求項１から請求項３のいずれか１に記載のシャープペンシル。
【手続補正２】
【補正対象書類名】明細書
【補正対象項目名】０００７
【補正方法】変更
【補正の内容】
【０００７】
本発明のシャープペンシルは、内部に空間を有する外装体と、この外装体の先端部に内側から外側に向かって突出するように配設され、内側に芯を通す内孔を有し、外装体の内側に収納される方向に往復移動可能なガイドパイプと、外装体の内部に収納され、内側に芯を収納する収納部を有し、先端側に向かって進退可能な芯ケースと、外装体の内部において芯ケースの先端側に配置され、芯ケースと共に先端側に進退可能であり、後端側では縮径して芯を把持し、先端側では拡径して芯を開放する芯チャックと、この芯チャックの周囲に配設され、芯チャックを締めつけて縮径するチャックリングと、ガイドパイプが外装体の内側に収納される方向に移動するのに連動して、芯ケースおよび芯チャックを先端側に前進させる連動手段と、芯ケースおよび芯チャックを先端側から後端側に復位させると共に、ガイドパイプを外装体から突出する方向に復位させる復位手段とを備え、連動手段は、芯ケースの外周に突出して形成された係止部と、この係止部の近傍において外装体と芯ケースとの間に後端部が配設され、先端部の一部がガイドパイプに固定された伝達部材と、この伝達部材の後端部に外側が当接され、かつ、中心側が係止部に当接され、外側と中心側との間に設けられた支持部を中心として回転可能であり、外側が伝達部材により後端側に押圧されるのに伴い、中心側により係止部を先端側に押圧する反転部材とを備え、復位手段は、係止部よりも先端側において芯ケースの周りに配設された固定部材と、この固定部材と係止部との間に配設された付勢部材とを備えたものである。